(57)【要約】【課題】胴体に２つの回動部品を備え、興趣性の高いコマ玩具を提供すること。【解決手段】コマ玩具（１）は胴体（４０）と軸部（１０）とを備える。胴体（４０）は、互いに相対回動可能に取り付けられた複数の回動部品を有する。これら複数の回動部品のうち少なくとも２つの回動部品（５０、６０）は、互いに接触して当該２つの回動部品（５０、６０）の回動範囲を規制する接触部（５８、６４）をそれぞれ有するとともに、互いの接触部（５８、６４）が、当該２つの回動部品（５０、６０）の相対回動に伴う接触を繰り返すことで次第に接触程度が軽くなり、遂には回動を規制できる程には接触しなくなる結果、回動範囲が広がるように構成されている。【選択図】図９
2018064724.tif 000002
【特許請求の範囲】
【請求項１】
胴体と軸部とを備えるコマ玩具であって、
前記胴体は、互いに相対回動可能に取り付けられた複数の回動部品を有し、
前記複数の回動部品のうち少なくとも２つの回動部品は、
互いに接触して当該２つの回動部品の回動範囲を規制する接触部をそれぞれ有するとともに、
互いの前記接触部が、当該２つの回動部品の相対回動に伴う接触を繰り返すことで次第に接触程度が軽くなり、遂には回動を規制できる程には接触しなくなる結果、前記回動範囲が広がるように構成されていることを特徴とするコマ玩具。
【請求項２】
前記２つの回動部品のうちの一方の回動部品を他方の回動部品との間で回動可能に支持しつつ、当該他方の回動部品に固定された他の部品を備え、
前記他の部品は、付属部品を取り付けるための孔部を有し、
前記孔部は、前記２つの回動部品の回動範囲が広がる前の第１の状態では前記一方の回動部品に閉塞されており、当該回動範囲が広がった第２の状態への移行に伴って前記一方の回動部品が相対回動して当該孔部が開放されることを特徴とする請求項１に記載のコマ玩具。
【請求項３】
前記一方の回動部品を前記他方の回動部品に対して一の回動方向に付勢する付勢部材を備え、
前記２つの回動部品は、前記第１の状態から前記第２の状態への移行に伴って、前記一方の回動部品が前記付勢部材の付勢力に抗して前記一の回動方向とは反対の他の回動方向に相対回動することを特徴とする請求項２に記載のコマ玩具。
【請求項４】
前記一方の回動部材は、前記付勢部材を支持する部分であって、前記第１の状態において前記他の部品の前記孔部を閉塞するとともに前記第２の状態への移行に伴って前記孔部よりも前記他の回動方向側まで移動して当該孔部を開放させる支持部を有し、
前記第２の状態において、前記付属部品の取付け部が前記他の部品の前記孔部に挿入され、当該取付け部が前記一方の回動部材の前記支持部と当接することにより、前記付勢部材による前記一方の回動部材の回動が規制されて当該第２の状態が保持されることを特徴とする請求項３に記載のコマ玩具。
【発明の詳細な説明】
【技術分野】
【０００１】
本発明はコマ玩具に関するものである。
【背景技術】
【０００２】
従来、コマ玩具の移動態様を決める機能を備えた軸部の上側に、対戦相手のコマ玩具を攻撃する機能を備えた胴体が設けられた構造のコマ玩具が知られている（例えば、特許文献１参照）。
また、この種のコマ玩具として、胴体が上下２層構造とされ、この２つの層部材の各外周に突設された刃部が互いの周方向位置をずらしてあり、さらに当該２つの層部材が周方向に付勢されたものが知られている（例えば、非特許文献１参照）。
【先行技術文献】
【特許文献】
【０００３】
【特許文献１】実用新案登録第３１５１７００号公報
【非特許文献】
【０００４】
【非特許文献１】http://www.beach.jp/circleboard/ac43609/topic/1100025965113
【発明の概要】
【発明が解決しようとする課題】
【０００５】
上記非特許文献１に記載のコマ玩具は、付勢された２つの層部材の相対回動により新たな攻撃態様が付加されているものの、この２つの層部材の相対回動はいくらコマ玩具を使い込んでも変化がなく、その点で興趣に欠けるところがあった。
【０００６】
本発明は、かかる問題点に鑑みなされたもので、胴体に２つの回動部品を備えるものであって興趣性の高いコマ玩具を提供することを目的とする。
【課題を解決するための手段】
【０００７】
第１の手段は、
胴体と軸部とを備えるコマ玩具であって、
前記胴体は、互いに相対回動可能に取り付けられた複数の回動部品を有し、
前記複数の回動部品のうち少なくとも２つの回動部品は、
互いに接触して当該２つの回動部品の回動範囲を規制する接触部をそれぞれ有するとともに、
互いの前記接触部が、当該２つの回動部品の相対回動に伴う接触を繰り返すことで次第に接触程度が軽くなり、遂には回動を規制できる程には接触しなくなる結果、前記回動範囲が広がるように構成されていることを特徴とする。
【０００８】
第２の手段は、第１の手段において、
前記２つの回動部品のうちの一方の回動部品を他方の回動部品との間で回動可能に支持しつつ、当該他方の回動部品に固定された他の部品を備え、
前記他の部品は、付属部品を取り付けるための孔部を有し、
前記孔部は、前記２つの回動部品の回動範囲が広がる前の第１の状態では前記一方の回動部品に閉塞されており、当該回動範囲が広がった第２の状態への移行に伴って前記一方の回動部品が相対回動して当該孔部が開放されることを特徴とする。
【０００９】
第３の手段は、第２の手段において、
前記一方の回動部品を前記他方の回動部品に対して一の回動方向に付勢する付勢部材を備え、
前記２つの回動部品は、前記第１の状態から前記第２の状態への移行に伴って、前記一方の回動部品が前記付勢部材の付勢力に抗して前記一の回動方向とは反対の他の回動方向に相対回動することを特徴とする。
【００１０】
第４の手段は、第３の手段において、
前記一方の回動部材は、前記付勢部材を支持する部分であって、前記第１の状態において前記他の部品の前記孔部を閉塞するとともに前記第２の状態への移行に伴って前記孔部よりも前記他の回動方向側まで移動して当該孔部を開放させる支持部を有し、
前記第２の状態において、前記付属部品の取付け部が前記他の部品の前記孔部に挿入され、当該取付け部が前記一方の回動部材の前記支持部と当接することにより、前記付勢部材による前記一方の回動部材の回動が規制されて当該第２の状態が保持されることを特徴とする。
【発明の効果】
【００１１】
本発明によれば、胴体の２つの回動部品の各々に設けられた接触部が、これら２つの回動部品の相対回動に伴って接触を繰り返すことで次第に接触程度が軽くなり、遂には回動を規制できる程には接触しなくなって、当該２つの回動部品の回動範囲が広がる。
したがって、遊戯者が当該コマ玩具を使い込むことによって２つの回動部品の回動範囲が広がることとなり、興趣性の高いコマ玩具を実現することができる。
【図面の簡単な説明】
【００１２】
【図１】本発明に係るコマ玩具の一実施形態の（ａ）斜視図であり、（ｂ）その遊び方を説明するための図である。
【図２】本実施形態のコマ玩具の分解斜視図である。
【図３】本実施形態のコマ玩具の押圧部材の斜視図である。
【図４】本実施形態のコマ玩具の（ａ）下層部材の上面図であり、（ｂ）上層部材の下面図である。
【図５】本実施形態のコマ玩具の下層部材と上層部材との相対回動範囲を説明するための平面図である。
【図６】本実施形態のコマ玩具の第２識別用部品の（ａ）斜め下方から見た斜視図であり、（ｂ）コマ玩具に取り付けた状態での平面図である。
【図７】本実施形態のコマ玩具における軸部、性能可変リング及び胴体の係合状態を説明するための図である。
【図８】本実施形態のコマ玩具を回転駆動させるランチャーの一例を示した斜視図である。
【図９】本実施形態のコマ玩具の下層部材と上層部材との相対回動範囲を説明するための平面図である。
【発明を実施するための形態】
【００１３】
以下、本発明のコマ玩具を図面に示した実施形態に基づいて説明する。
【００１４】
《全体構成》
図１（ａ）は、本発明に係るコマ玩具の一実施形態の斜視図、図１（ｂ）は、その遊び方を説明した図、図２は、本実施形態のコマ玩具１の分解斜視図である。本明細書においては、上下、左右及び前後は図２に示した向きを言うものとする。
図１（ａ）に示すように、本実施形態のコマ玩具１は、いわゆるコマバトルゲームに使用することが可能なコマ玩具である。具体的に、このコマ玩具１は、互いの衝突による衝撃力で相手方のコマ玩具１を図１（ｂ）のように分解させて勝利とするようなバトルゲームに使用できる。
このコマ玩具１は、図２に示すように、下部構造を構成しドライバとなる軸部１０と、上部構造を構成するレイヤーとなる性能可変リング３０及び胴体４０とによって構成されている。
【００１５】
《細部構成》
１．軸部１０について
図２に示すように、軸部１０は、下端部に回転軸１１、上下方向中間部に鍔１２、上部に円筒部１３を備えている。
このうち鍔１２と円筒部１３とは一体に形成され軸部上部を構成し、この鍔１２及び円筒部１３は軸部下部に対してビス（図示省略）で固定されている。
軸部下部は、鍔１２側から回転軸１１の先端側に向けて段階的に窄んだ形状で、全体として略逆円錐状に形成されている。
鍔１２及び円筒部１３には、上下方向に沿ったコマ玩具１全体の軸線と一致する回転軸１１の軸線Ａｘ（以下、単に「軸線Ａｘ」という。）を挟み、前後方向で対峙する部位２箇所それぞれに、孔１４が形成されている。一方、軸部下部には、鍔１２の孔１４に対応した位置に半径方向外方に張り出す突片１１ａが形成されている。この突片１１ａは鍔１２の孔１４の下方に位置している。この突片１１ａの上面は後述の座部を構成する。
また、円筒部１３には、軸線Ａｘを挟み左右方向で対峙する部位２箇所それぞれに突出部１５が形成されている。この突出部１５の外面は鍔１２の外周面と面一となっている。さらに、軸部下部には、突出部１５に対応した位置に半径方向外方に張り出す突出部１１ｂが形成されている。そして、突出部１５，１１ｂの箇所で軸部下部に鍔１２及び円筒部１３がビス（図示省略）で固定されている。
また、円筒部１３の内側には円柱体１６が立設されている（図２では、上面のみ図示）。この円柱体１６の基端部は軸部下部に連結されている。この円柱体１６の上端は特に限定はされないが円筒部１３の上端よりも高い位置に設定されている。この円柱体１６の上端部には軸線Ａｘを挟み前後方向で対峙する部位２箇所それぞれに半径方向外側に張り出す爪（第２の爪）１７が形成されている。
【００１６】
また、軸部１０は円筒状の押圧部材１８を備えている。押圧部材１８は合成樹脂で形成されているが金属製であってもよい。この押圧部材１８は、円筒部１３の内側に円柱体１６の外周を取り囲むようにして設置されている。
図３に示すように、押圧部材１８は、円筒部１８ａと、天井部１８ｂと、脚部１８ｃとを備えている。
円筒部１８ａの上端に天井部１８ｂが設けられている。この天井部１８ｂには、円柱体１６の上端部に対応する形状の孔１８ｄが形成されている。
また、円筒部１８ａの外周下端部に脚部１８ｃが設けられている。この脚部１８ｃは軸線Ａｘを挟み前後方向で対峙する部位２箇所それぞれに形成されている。この脚部１８ｃは、円筒部１８ａから水平に張り出す水平部１８０ｃ、水平部１８０ｃの先端から垂直下方に延びる鉛直部１８１ｃとから形成されている。
そして、このように構成された押圧部材１８は、図２に示すように、脚部１８ｃが上記孔１４に挿入されるようにして設置される。孔１４は上下方向の寸法が脚部１８ｃの長さ寸法よりも大きく設定されている。そして。この押圧部材１８はスプリング（図示省略）によって上方に付勢されている。この押圧部材１８は、脚部１８ｃが孔１４の上縁で上方への移動が規制され、常態では、押圧部材１８の上端は円筒部１３の上端と同一高さ位置にある。
また、押圧部材１８の天井部１８ｂの上面には、軸線Ａｘを挟み左右方向で対峙する部位２箇所それぞれに半径方向に延びる凸条（突起）２１が形成されている。
【００１７】
２．性能可変リング３０について
本実施形態では、性能可変リング３０としてフライホイールが用いられている。この性能可変リング３０は略円環板状を成している。この性能可変リング３０の底面には軸部１０の鍔１２が下方から収容可能な環状段部（図示省略）が内周側に形成されている。また、この性能可変リング３０の上面には軸線Ａｘを挟み左右方向で対峙する部位２箇所それぞれに上方に向けて張り出す突出部３２が形成されている。各突出部３２の下側部分には、軸部１０の突出部１５を下方から収容可能な凹部３３が形成されている。また、性能可変リング３０の上面には、各突出部３２の直ぐ外側に上方に延びる舌片３４が形成されている。舌片３４は突出部３２よりも上方に突出している。なお、この性能可変リング３０としては、フライホイールに代えて或いはフライホイールと一体的で、外周面に突出部があって相手方のコマ玩具１を攻撃し易くしたものや、外周面に凹部があって相手方のコマ玩具１からの攻撃を受け難いものを使用してもよい。
【００１８】
３．胴体４０について
図４（ａ）は、後述する胴体４０の下層部材５０の平面図（上面図）であり、図４（ｂ）は、後述する胴体４０の上層部材６０の下面図である。
胴体４０は円盤状を成している。この胴体４０は、下層部材５０と、上層部材６０と、透明カバー体７０とを備えており、これらが下側からこの順に積層されて構成されている。より詳しくは、胴体４０は、下層部材５０と透明カバー体７０とが、上層部材６０を軸線Ａｘ回りに回動可能なように上下に挟持しつつ、互いに固定されて構成されている。
【００１９】
このうち下層部材５０は、図２及び図４（ａ）に示すように、軸線Ａｘを中心軸とする略円板状に形成されている。
下層部材５０の外周面には、３つの下側刃部５１が周上等配に突設されている。各下側刃部５１は、平面視で、反時計回りに向かって外周側へ緩やかに膨出しつつ先端が鋭角に尖った刃状に形成されている。
下層部材５０の中央には、軸線Ａｘを中心軸とする円孔５２が形成されている。この円孔５２の内周面下端には、軸線Ａｘを挟んで対峙する部位２箇所それぞれに、半径方向内側に向けて張り出す爪（第１の爪）５３が突設されている。また、下層部材５０の下端面のうち、円孔５２に連なる中央部には、軸線Ａｘを挟み左右方向で対峙する部位２箇所それぞれに、凹凸が連続して形成され、軸部１０の上記凸条２１に噛み合う起伏部５９（図７にその範囲のみ図示）が形成されている。
また、下層部材５０には、性能可変リング３０の舌片３４を下方から挿入可能な弧状スリット５４が、円孔５２を挟んで対峙する部位２箇所それぞれに形成されている。各弧状スリット５４の周方向長さは舌片３４が十分に移動し得る長さとなっている。下層部材５０のうち、この弧状スリット５４を避けた周方向位置であって円孔５２を挟んで対峙する部位２箇所それぞれには、上下に貫通する孔部５５が形成されている。
また、下層部材５０の上面のうち弧状スリット５４よりも半径方向外側には、後述する上層部材６０の弧状ガイド６３が上方から嵌合される環状段部５６が形成されている。この環状段部５６の内面には、下層部材５０に対する上層部材６０の回動範囲を規制するための複数の規制璧５６ａが立設されている。また、下層部材５０の上面のうち、平面視で後方やや反時計回り側の周方向位置には、後述する付勢ばね４１の一端を支持する壁部５７が立設されている。
さらに、下層部材５０の上面のうち、環状段部５６の直ぐ半径方向外側に位置する外周縁部には、上層部材６０の回動を規制するための１２個の下側突起５８が周上等配に形成されている。
【００２０】
上層部材６０は、図２及び図４（ｂ）に示すように、軸線Ａｘを中心軸とする略円環状に形成されている。
この上層部材６０は、平面視での外形形状及び大きさが下層部材５０と略同一に形成されており、その外周面には、下層部材５０の下側刃部５１と略同一の平面視形状に形成された３つの上側刃部６１が周上等配に突設されている。
上層部材６０の上面には、透明カバー体７０が上方から嵌合可能な環状段部６２が形成されている。
一方、上層部材６０の下面には、４つの弧状ガイド６３が当該下面の内周縁に周上不等配で突設されている。これらの弧状ガイド６３は、下層部材５０上面の環状段部５６に対し周方向へ摺動可能な状態で上方から嵌合可能となっており、当該弧状ガイド６３が環状段部５６に案内されることにより、上層部材６０が下層部材５０に対して軸線Ａｘ回りに相対回動可能となっている。
また、上層部材６０の下面のうち、４つの弧状ガイド６３よりも半径方向外側の外周縁には、周方向にやや長尺な３つの上側突起６４が周上等配に形成されている。これら上側突起６４は、下層部材５０の下側突起５８と周方向に接触することにより、下層部材５０と上層部材６０との軸線Ａｘ回りの相対回動を規制するようになっている。また、これら上側突起６４と下側突起５８とは、接触を繰り返すに連れて少なくとも一方が摩耗または変形し、遂には互いに重なって回動規制機能が失われるように、その接触高さが予め低めに形成されている。
上層部材６０の内周面の後方位置には、付勢ばね（コイルばね）４１を支持するための支持突起６５が突設されている。支持突起６５の平面視反時計回り側の側面には棒状部６５ａが立設されており、この棒状部６５ａが付勢ばね４１に挿通されている。この付勢ばね４１は、平面視反時計回り側の端部が下層部材５０の壁部５７に当接された状態で略周方向に沿って配設されており、下層部材５０に対して平面視時計回り方向に上層部材６０を付勢している（図５（ａ）参照）。
【００２１】
ここで、下層部材５０と上層部材６０との相対回動の範囲について説明する。図５は、この相対回動の範囲を説明するための平面図である。
下層部材５０と上層部材６０とは、常態で、上層部材６０の上側刃部６１を下層部材５０の下側刃部５１よりも平面視で時計回り側に位置させつつ、これら互いの刃部を上下に重ねた状態（範囲）で相対回動する。
【００２２】
具体的には、図５（ａ）に示すように、下層部材５０及び上層部材６０に殆ど外力が作用していない状態（以下、「初期状態」という。）では、付勢ばね４１の付勢力により上層部材６０が下層部材５０に対して平面視時計回りに付勢されている。そして、上層部材６０の各上側突起６４の平面視時計回り側の端面が下層部材５０の下側突起５８に接触し、及び／又は、上層部材６０の各弧状ガイド６３の平面視時計回り側の端面が下層部材５０の規制璧５６ａに接触することにより、この回動が規制される。上層部材６０の弧状ガイド６３と下層部材５０の規制璧５６ａとの接触は、上層部材６０と下層部材５０の相対回動をより確実に規制するためのものであり、上側突起６４と下側突起５８とに比べより強く接触している。
この初期状態では、上層部材６０の上側刃部６１の先端と下層部材５０の下側刃部５１の先端とのなす角度（軸線Ａｘを中心とする中心角）α＝α１となっており、上側刃部６１の先端が下側刃部５１の周方向長さの略中央に位置している。
【００２３】
一方、コマ玩具１が回転中に相手方のコマ玩具１と接触するなどして、上層部材６０に平面視反時計回り方向の外力が作用したときには、図５（ｂ）に示すように、上層部材６０の各上側突起６４の平面視反時計回り側の端面が下層部材５０の下側突起５８に接触するまで、上層部材６０が付勢ばね４１の付勢力に抗して平面視反時計回り方向に相対回動した状態（以下、「第１回動状態」という。）となる。
この第１回動状態では、上層部材６０の上側刃部６１の先端と下層部材５０の下側刃部５１の先端とのなす角度α＝α２（＜α１）となる。つまり、上層部材６０は、基本的には、下層部材５０に対してα１−α２の角度範囲（本実施形態では約１０°）で相対回動するようになっている。
【００２４】
但し、本実施形態のコマ玩具１においては、後述するように、上層部材６０の上側突起６４の平面視時計回り側の端面が下層部材５０の下側突起５８に繰り返し接触することにより、いずれは上側突起６４が下側突起５８を乗り越えるようになっている。このときには、上層部材６０が第１回動状態からさらに相対回動し、上層部材６０の各弧状ガイド６３の平面視反時計回り側の端面が下層部材５０の規制璧５６ａに接触するまで上層部材６０が平面視反時計回り方向に相対回動した状態（以下、「第２回動状態」という。図９（ｂ）参照）に移行可能となる。
この第２回動状態では、上層部材６０の上側刃部６１の先端と下層部材５０の下側刃部５１の先端とのなす角度αがほぼゼロとなり、上側刃部６１と下側刃部５１とが互いの先端の周方向位置を略一致させる。
【００２５】
透明カバー体７０は、図２に示すように、軸線Ａｘを中心軸とする略円板状に形成されている。
この透明カバー体７０は、上層部材６０の環状段部６２と略同一の外径に形成されており、環状の上層部材６０の内周側を覆うようにして当該環状段部６２に上方から嵌合されている。
透明カバー体７０の下面のうち、下層部材５０の２つの孔部５５に対応する位置には、２つのボス７１が立設されている。これら２つのボス７１には下方に開口する図示しないねじ穴がそれぞれ形成されており、下層部材５０の各孔部５５に下方から挿通させたビス４２をボス７１のねじ穴に螺合させることにより、下層部材５０と透明カバー体７０とが固定されている。
透明カバー体７０の中央には、軸線Ａｘを中心軸とし、下層部材５０の円孔５２と略同一内径の円孔７２が形成されている。この円孔７２の内周面には、軸線Ａｘを挟んで対峙する部位２箇所それぞれに、半径方向内側に向けて張り出す突起７３が突設されている。
また、透明カバー体７０には、円孔７２を挟んで対峙する部位２箇所それぞれに弧状スリット７４が形成されている。各弧状スリット７４は、下層部材５０の弧状スリット５４と対応する周方向位置及び周方向長さに形成されている。
さらに、透明カバー体７０には、後述する第２識別用部品４４を取り付けるための係止孔７５が形成されている。この係止孔７５は、弧状スリット７４と同程度の半径方向位置であって、後方やや平面視反時計回り側の周方向位置に形成されている。そして、この係止孔７５は、下層部材５０及び上層部材６０が初期状態や第１回動状態にあるときには、上層部材６０の支持突起６５や付勢ばね４１によって下側が閉塞されており、第２回動状態に移行して上層部材６０が相対回動することで下側が開放され、第２識別用部品４４を係止可能となる（図９参照）。
【００２６】
透明カバー体７０の円孔７２には、初期状態においては、第１識別用部品４３が取り付けられている。この第１識別用部品４３はコマ玩具１の識別やプレイヤの識別のために使用される。
この識別のため、本実施形態では、互いに異なる模様及び／又は色等を有する複数の識別用部品が用意され、その中からプレイヤが選択した１つの識別用部品が円孔７２に取り付けられる。本実施形態のコマ玩具１においては、第１識別用部品４３を取り付け可能であるほか、上記第２回動状態となったときに、第１識別用部品４３とは形状等が異なる第２識別用部品４４を取り付け可能となっている。
【００２７】
第１識別用部品４３は全体としてほぼ短円柱形を有している。この第１識別用部品４３の上面中央部はすり鉢状に窪んでおり、この窪みを取り囲む縁部には、軸線Ａｘを挟んで対峙する部位２箇所それぞれに形成された操作用凹部４３１が形成されている。操作用凹部４３１には上記軸部１０の鍔１２が挿入可能で、操作用凹部４３１に挿入した軸部１０を動かして第１識別用部品４３を操作できるようにされている。
この第１識別用部品４３の外周には、その軸線を挟んで対峙する部位２箇所それぞれに、透明カバー体７０の円孔７２に挿入した際に上記突起７３が入り込む溝４３２が形成されている。この溝４３２は、上下方向に延在し第１識別用部品４３の下側に開口した部分と、この部分の上端から略周方向に沿って延在する部分とを有している。そして、この溝４３２に沿って円孔７２の突起７３を移動させるようにして、第１識別用部品４３を上方から透明カバー体７０の円孔７２に挿入した後に回転させることにより、第１識別用部品４３が透明カバー体７０の円孔７２に取り付けられるようになっている。
【００２８】
図６は、第２識別用部品４４を説明するための図であり、（ａ）が斜め下方から見た斜視図、（ｂ）がコマ玩具１に取り付けた状態を示す平面図である。
第２識別用部品４４は、コマ玩具１（胴体４０）が上記第２回動状態となったときに第１識別用部品４３に代えてコマ玩具１に取り付け可能なものであり、専ら識別用であった第１識別用部品４３に対し、相手方のコマ玩具に対する武器（攻撃）用途やコマ玩具１の装飾用途などにも用いられる。
具体的には、図６（ａ），（ｂ）に示すように、第２識別用部品４４は、略平板状の基板部４４１と、円孔７２に挿入されて当該第２識別用部品４４を固定するための固定部４４２とを有している。
このうち基板部４４１は、平面視でコマ玩具１の中央部から周縁部に亘るやや長尺な平板状に形成されている。この基板部４４１の下面には、透明カバー体７０の係止孔７５に上方から挿入可能な係止突起４４１ａが立設されている。この係止突起４４１ａは、基板部４４１の下面のうち、コマ玩具１取付け状態における半径方向外側の端部近傍であって平面視時計回り側の端部に形成されており、平面視時計回り側の方が高くなるように下端が２段の階段状に形成されている。
固定部４４２は、第１識別用部品４３と同様に形成されて操作用凹部４３１や溝４３２を有しており、基板部４４１のうち係止突起４４１ａとは反対側の端部に回転可能に設けられている。
この第２識別用部品４４は、係止突起４４１ａを係止孔７５に挿入しつつ固定部４４２を円孔７２に挿入するようにして上方から透明カバー体７０に被せた後に固定部４４２を回転させることにより、透明カバー体７０に取り付けられる。但し、後述するように、コマ玩具１（胴体４０）が上記第２回動状態となっていない場合には、係止突起４４１ａを係止孔７５の下方にまで挿し込むことができず、当該第２識別用部品４４を透明カバー体７０に取り付けられないようになっている（図９参照）。
【００２９】
《組立方法》
次に、コマ玩具１の組立方法の一例を説明する。
図７は、軸部１０，性能可変リング３０及び胴体４０の係合状態を説明するための図である。
なお、ここでは、軸部１０と胴体４０それぞれの組立は既に終了しているものとする。また、胴体４０の透明カバー体７０には第１識別用部品４３が取り付けられている。
まず、軸部１０の突出部１５を下方から性能可変リング３０の凹部３３に合致させるようにして、軸部１０と性能可変リング３０を嵌合状態に組み付ける。次に、この組付け体を胴体４０に下方から近付ける。この際、上記組付け体の性能可変リング３０の舌片３４を胴体４０の弧状スリット５４，７４の所定の端に合致させる（図７（ａ））。この状態は、軸部１０の爪１７と胴体４０の爪５３とが上下方向で重なっていない状態である。この状態が結合解除状態である。その後、上記組付け体の軸部１０を胴体４０側に押圧する。すると、まず、性能可変リング３０が胴体４０の下面に押し当てられる。さらに、軸部１０内の図示しないスプリングが縮み、軸部１０の爪１７が胴体４０の爪５３よりも上方に相対的に押し上げられる。そして、軸部１０を性能可変リング３０と一体的に胴体４０に対して舌片３４が上記所定の端とは反対側の端まで移動するまで回転させる（図７（ｂ））。この場合の回転は、胴体４０と性能可変リング３０及び軸部１０との相対的な回転であって、図７（ｂ）では、性能可変リング３０及び軸部１０に対して胴体４０側を図８（ａ）の状態から回転させた状態が示されている。すると、軸部１０の爪１７と胴体４０の爪５３とが上下で重なった状態となる。そして、軸部１０から手を離すと、軸部１０内の図示しないスプリングの付勢力によって、軸部１０の爪１７の下面と胴体４０の爪５３の上面とが当接される。
軸部１０の爪１７の下面と胴体４０の爪５３の上面とが当接された状態が結合状態である。これにより、軸部１０と、性能可変リング３０及び胴体４０とが結合され、コマ玩具１が組み立てられる。
【００３０】
《遊び方》
続いて、このコマ玩具１を使用しての遊び方の一例を説明する。
図８は、コマ玩具１を回転駆動させるランチャーの一例を示した斜視図であり、図９は、下層部材５０と上層部材６０との相対回動範囲を説明するためのコマ玩具１の平面図である。なお、図９では、第１識別用部品４３の図示を省略している。
この遊び方の一例では、コマ玩具１を回転させて、相手方のコマ玩具１と戦いを行う。
この場合、コマ玩具１の回転力のチャージは、図８に示すようなランチャー８０によって行われる。このランチャー８０は、内部に図示しない円板を備え、その円板を図示しないゼンマイばねで一の回転方向に付勢するとともに、円板の周囲に卷回させた図示しない紐をハンドル８１で引くと、円板が回転され、コマホルダー８３が回転されるように構成されている。このコマホルダー８３の回転は、下方に突設されたフォーク８４によってコマ玩具１に伝達され、コマ玩具１を回転させる。この場合、フォーク８４は胴体４０の弧状スリット５４，７４に差し込まれる。そして、ランチャー８０のハンドル８１を引き切ると、円板ひいてはコマホルダー８３の回転が停止する一方で、コマ玩具１は慣性力によって尚も回転するので、フォーク８４の傾斜面８４ａに倣ってコマ玩具１がコマホルダー８３から外れる。なお、図８において符号８２はコマホルダー８３に対して出没可能なロッドである。このロッド８２はコマホルダー８３にコマ玩具１を装着した際にコマ玩具１の上面に押されてコマホルダー８３内に没する。このロッド８２は例えばコマ玩具１の着脱の検出に使用される。
【００３１】
このようにして発射されたコマ玩具１は所定のフィールドで平面視時計回りに回転させられ、相手方のコマ玩具１に衝突すると、衝突による衝撃力や擦れ等によって、胴体４０には、軸部１０及び性能可変リング３０の回転方向とは反対の方向の力が作用し、それによって、胴体４０が軸部１０及び性能可変リング３０の回転方向に対して反対の方向に相対的に回転する。
すると、胴体４０（下層部材５０）下面の起伏部５９に凸条２１が噛合する（図７参照）。この場合、凸条２１には軸部１０内のスプリングの付勢力が作用するので、衝突による衝撃力が作用する毎に、胴体４０に対して軸部１０が相対回転して噛み合い位置を変更することにより、係止解除位置に達すると、胴体４０の爪５３が軸部１０の爪１７から外れるため、軸部１０内の図示しないスプリングの付勢力によって胴体４０が軸部１０から離反する。そして、図１（ａ）に示すように、コマ玩具１は分解される。
【００３２】
また、回転中のコマ玩具１が相手方のコマ玩具１と衝突したときには、初期状態にある胴体４０では、下層部材５０の下側刃部５１よりも回転方向上流側（平面視時計回り側）に位置する上層部材６０の上側刃部６１が、相手方のコマ玩具１と接触する（図５（ａ）参照）。この接触による衝撃力は、上層部材６０を付勢ばね４１の付勢力に抗して下層部材５０に対し反時計回りに相対回動させ、図９（ａ）に示すように、上層部材６０の各上側突起６４の平面視反時計回り側の端面が下層部材５０の下側突起５８に接触した第１回動状態となる。そして、衝撃力が消失するに伴って、下層部材５０と上層部材６０とは付勢ばね４１の付勢力により初期状態に復帰する。
このような相手方のコマ玩具１との衝突が繰り返されて、下層部材５０と上層部材６０とが初期状態と第１回動状態とを交互に移行することにより、上層部材６０の各上側突起６４の平面視時計回り側の端面側と下層部材５０の下側突起５８との接触が繰り返されて、これらの少なくとも一方が次第に摩耗または変形する。そのため、これら上側突起６４と下側突起５８との接触程度が次第に軽くなり、遂には第１回動状態での相対回動を規制できる程には強く接触しなくなる結果、下層部材５０と上層部材６０との回動範囲が広がる。
【００３３】
これにより、図９（ｂ）に示すように、下層部材５０と上層部材６０とは、上層部材６０が第１回動状態からさらに平面視反時計回りに相対回動可能となり、上層部材６０の各弧状ガイド６３の平面視反時計回り側の端面と下層部材５０の規制璧５６ａとが接触する第２回動状態まで移行可能となる。
この第２回動状態では、上層部材６０の支持突起６５や付勢ばね４１によって閉塞されていた透明カバー体７０の係止孔７５が開放される。そのため、この係止孔７５に第２識別用部品４４の係止突起４４１ａを挿入可能となり、第１識別用部品４３に代えて第２識別用部品４４をコマ玩具１（透明カバー体７０）に取り付け可能となる（図６参照）。そして、第２回動状態において、透明カバー体７０に第２識別用部品４４を取り付けて係止孔７５に係止突起４４１ａを挿入させると、この係止突起４４１ａが上層部材６０の支持突起６５と当接することにより、付勢ばね４１の付勢力による上層部材６０の回動が規制され、当該第２回動状態が保持されるようになっている。
【００３４】
《本発明の変形例》
以上、本発明の実施形態について説明したが、本発明は、かかる実施形態に限定されるものではなく、その要旨を逸脱しない範囲で、種々変形が可能であることは言うまでもない。
例えば、上記実施形態では、透明カバー体７０に対し第１識別用部品４３に代えて第２識別用部品４４を取り付ける場合について説明したが、このような第２識別用部品４４としては、上記実施形態のものに限定されず、例えば、重量や形状に変化を持たせ回転特性や攻撃特性を変化させる性能可変部品や、装飾効果だけを目的とした装飾部品なども適用可能である。
【００３５】
また、透明カバー体７０に対する第１識別用部品４３及び第２識別用部品４４の固定構造は、上記実施形態のものに限定されず、例えばネジ締結などであってもよい。
【００３６】
また、相対回動する回動部品が２層（下層部材５０と上層部材６０）の場合について説明したが、本発明に係るコマ玩具は、少なくとも２つの回動部品がその相対回動に伴って回動範囲が広がるように構成されていれば、３つ以上の複数の回動部品を備えていてもよい。
【符号の説明】
【００３７】
１      コマ玩具
１０    軸部
３０    性能可変リング
４０    胴体
４１    付勢ばね
４３    第１識別用部品
４４    第２識別用部品
４４１ａ  係止突起
５０    下層部材
５６    環状段部
５６ａ  規制璧
５８    下側突起
６０    上層部材
６４    上側突起
６５    支持突起
７０    透明カバー体
７５    係止孔
【図１】
2018064724.tif 000003
【図２】
2018064724.tif 000004
【図３】
2018064724.tif 000005
【図４】
2018064724.tif 000006
【図５】
2018064724.tif 000007
【図６】
2018064724.tif 000008
【図７】
2018064724.tif 000009
【図８】
2018064724.tif 000010
【図９】
2018064724.tif 000011
【手続補正書】
【提出日】平成29年7月31日(2017.7.31)
【手続補正１】
【補正対象書類名】明細書
【補正対象項目名】０００７
【補正方法】変更
【補正の内容】
【０００７】
第１の手段は、
胴体と軸部とを備えるコマ玩具であって、
前記胴体は、互いに相対回動可能に取り付けられた複数の回動部品を有し、
前記複数の回動部品のうち少なくとも２つの回動部品は、
互いに接触して当該２つの回動部品の回動範囲を規制する接触部をそれぞれ有するとともに、
互いの前記接触部が、当該２つの回動部品の相対回動に伴う接触を繰り返すことで次第に接触程度が軽くなり、遂には回動を規制できる程には接触しなくなる結果、前記回動範囲が広がるように構成され、
前記２つの回動部品のうちの一方の回動部品を他方の回動部品との間で回動可能に支持しつつ、当該他方の回動部品に固定された他の部品をさらに備え、
前記他の部品は、付属部品を取り付けるための孔部を有し、
前記孔部は、前記２つの回動部品の回動範囲が広がる前の第１の状態では前記一方の回動部品に閉塞されており、当該回動範囲が広がった第２の状態への移行に伴って前記一方の回動部品が相対回動して当該孔部が開放されることを特徴とする。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
第２の手段は、第１の手段において、
前記一方の回動部品を前記他方の回動部品に対して一の回動方向に付勢する付勢部材を備え、
前記２つの回動部品は、前記第１の状態から前記第２の状態への移行に伴って、前記一方の回動部品が前記付勢部材の付勢力に抗して前記一の回動方向とは反対の他の回動方向に相対回動することを特徴とする。
【手続補正４】
【補正対象書類名】明細書
【補正対象項目名】００１０
【補正方法】変更
【補正の内容】
【００１０】
第３の手段は、第２の手段において、
前記一方の回動部材は、前記付勢部材を支持する部分であって、前記第１の状態において前記他の部品の前記孔部を閉塞するとともに前記第２の状態への移行に伴って前記孔部よりも前記他の回動方向側まで移動して当該孔部を開放させる支持部を有し、
前記第２の状態において、前記付属部品の取付け部が前記他の部品の前記孔部に挿入され、当該取付け部が前記一方の回動部材の前記支持部と当接することにより、前記付勢部材による前記一方の回動部材の回動が規制されて当該第２の状態が保持されることを特徴とする。
【手続補正５】
【補正対象書類名】特許請求の範囲
【補正対象項目名】全文
【補正方法】変更
【補正の内容】
【特許請求の範囲】
【請求項１】
胴体と軸部とを備えるコマ玩具であって、
前記胴体は、互いに相対回動可能に取り付けられた複数の回動部品を有し、
前記複数の回動部品のうち少なくとも２つの回動部品は、
互いに接触して当該２つの回動部品の回動範囲を規制する接触部をそれぞれ有するとともに、
互いの前記接触部が、当該２つの回動部品の相対回動に伴う接触を繰り返すことで次第に接触程度が軽くなり、遂には回動を規制できる程には接触しなくなる結果、前記回動範囲が広がるように構成され、
前記２つの回動部品のうちの一方の回動部品を他方の回動部品との間で回動可能に支持しつつ、当該他方の回動部品に固定された他の部品をさらに備え、
前記他の部品は、付属部品を取り付けるための孔部を有し、
前記孔部は、前記２つの回動部品の回動範囲が広がる前の第１の状態では前記一方の回動部品に閉塞されており、当該回動範囲が広がった第２の状態への移行に伴って前記一方の回動部品が相対回動して当該孔部が開放されることを特徴とするコマ玩具。
【請求項２】
前記一方の回動部品を前記他方の回動部品に対して一の回動方向に付勢する付勢部材を備え、
前記２つの回動部品は、前記第１の状態から前記第２の状態への移行に伴って、前記一方の回動部品が前記付勢部材の付勢力に抗して前記一の回動方向とは反対の他の回動方向に相対回動することを特徴とする請求項１に記載のコマ玩具。
【請求項３】
前記一方の回動部材は、前記付勢部材を支持する部分であって、前記第１の状態において前記他の部品の前記孔部を閉塞するとともに前記第２の状態への移行に伴って前記孔部よりも前記他の回動方向側まで移動して当該孔部を開放させる支持部を有し、
前記第２の状態において、前記付属部品の取付け部が前記他の部品の前記孔部に挿入され、当該取付け部が前記一方の回動部材の前記支持部と当接することにより、前記付勢部材による前記一方の回動部材の回動が規制されて当該第２の状態が保持されることを特徴とする請求項２に記載のコマ玩具。